【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
取り外し可能に挿入することができる1つ以上のヒューズをフューズキャリアを用いること無く直接受容するように構成された断路ハウジングと、
前記ヒューズが前記ハウジング内に挿入されると、前記1つ以上のヒューズと連通するようになっているライン側及び負荷側の端子と、
前記断路ハウジングの前記ライン側端子及び前記負荷側端子のうちの一方と、前記ヒューズとの間に設けられた、1つ以上の定置接点と1つ以上の可動接点とを含む切換え可能な接点であって、前記可動接点は、前記ヒューズを介した電気的接続を形成又は断絶するために、開位置と閉位置との間で、前記定置接点に対して線状軸に沿って選択的に位置決め可能である、切換え可能な接点と、
前記可動接点の開位置への運動を支援する付勢要素と、
を含む、ヒューズ付き断路モジュール。
【請求項２】
前記1つ以上の定置接点が一対の定置接点を含み、該定置接点の一方が前記ライン側端子上に設けられている、請求項1に記載のヒューズ付き断路モジュール。
【請求項３】
さらに、前記1つ以上のヒューズの導電性素子に係合するように構成された1つ以上のヒューズ端子を含み、前記1つ以上の定置接点が一対の定置接点を含み、該定置接点の一方が、前記1つ以上のヒューズ端子上に設けられている、請求項1に記載のヒューズ付き断路モジュール。
【請求項４】
さらに、前記断路ハウジング内部に可動バーを含み、該可動バーが前記1つ以上の可動接点を備えている、請求項1に記載のヒューズ付き断路モジュール。
【請求項５】
さらに、開位置と閉位置との間で前記可動接点を位置決めするために、回転可能に取り付けられたスイッチ・アクチュエータを含む、請求項1に記載のヒューズ付き断路モジュール。
【請求項６】
前記切換え可能な接点が、互いに離間した2つ以上の定置接点と、互いに離間した2つ以上の可動接点とを含み、これにより、前記切換え可能な接点が開かれたときに、互いに離間した2つの位置におけるアーク放電を遮断するようになっている、請求項1に記載のヒューズ付き断路モジュール。
【請求項７】
使用者から離隔した、前記断路ハウジング内の位置でアーク・エネルギーを含有して散逸させるように、前記断路ハウジング内にアーク・シュート区画が設けられている、請求項1に記載のヒューズ付き断路モジュール。
【請求項８】
前記切換え可能な接点は、開位置又は閉位置のうちの一方にロックすることができる、請求項1に記載のヒューズ付き断路モジュール。
【請求項９】
さらにスイッチ・アクチュエータを含み、前記スイッチ・アクチュエータは、前記切換え可能な接点が開位置にあるのでない限り前記断路ハウジングから前記ヒューズが外れるのを防止するように、保持バーを含む、請求項1に記載のヒューズ付き断路モジュール。
【請求項１０】
前記断路ハウジングが、カートリッジ・ヒューズを受容するように構成されている、請求項1に記載のヒューズ付き断路モジュール。
【請求項１１】
前記断路ハウジングが、方形ヒューズ・モジュールを受容するように構成されている、請求項1に記載のヒューズ付き断路モジュール。
【請求項１２】
前記断路ハウジングが、一組にまとまるように構成された複数のモジュール・ハウジングを含み、前記モジュール・ハウジングのそれぞれが、それぞれのヒューズを接続又は断絶するための切換え可能な接点を含む、請求項1に記載のヒューズ付き断路モジュール。
【請求項１３】
前記1つ以上のヒューズが複数のヒューズを含み、そして前記ヒューズ付き断路モジュールがさらに、前記複数のヒューズを同時に接続又は断絶するスイッチ・アクチュエータを含む、請求項1に記載のヒューズ付き断路モジュール。
【請求項１４】
前記ヒューズは前記断路ハウジング内に挿入されているときには、前記断路ハウジングの上面を通って部分的に露出している、請求項1に記載のヒューズ付き断路モジュール。
【請求項１５】
さらに、不足電圧又は過電圧のうちの一方の状態において前記切換え可能な接点を開くように構成された電磁コイルを含む、請求項1に記載のヒューズ付き断路モジュール。
【請求項１６】
さらに、前記ヒューズの露出部分に被さるように延びるヒューズ・カバーを含み、前記ヒューズ・カバーが、前記断路ハウジングから前記ヒューズが外れるのを防止するようにロック可能である、請求項14に記載のヒューズ付き断路モジュール。
【手続補正２】
【補正対象書類名】明細書
【補正対象項目名】００２５
【補正方法】変更
【補正の内容】
【００２５】
レバー136は、これがスイッチ・アクチュエータの開位置と閉位置との間で動かされるときに、断路モジュール102の周りの作業スペースを妨害することなはく、また、レバー136は、開位置から閉位置へ不用意に戻されることはありそうにない。図3に示された開位置において、レバー136は、ヒューズ106の端部に隣接して配置されている。ヒューズ106は従って、不用意な接触、及び閉位置への不慮の作動からレバー136を守る。付勢要素200は、レバー136の運動及び接点機構の閉鎖に対する何らかの抵抗性を提供する。加えて、定置接点178及び180は、いかなる時にも、モジュール102のハウジング104によって保護され、そしてライン側端子142及び定置接点178及び180との接触に起因する電気的ショックのいかなるリスクも回避される。断路モジュール102は従って、多くの周知のヒューズ付き断路装置よりも安全であると考えられる。
【手続補正３】
【補正対象書類名】明細書
【補正対象項目名】００４５
【補正方法】変更
【補正の内容】
【００４５】
多極ヒューズ付き断路装置の実施態様もここに説明する。この装置は、複数のヒューズを受容するように構成された断路ハウジングであって、ヒューズが、ハウジングとは別個に用意され、そしてハウジング内に取り外し可能に挿入することができる、断路ハウジングと；ヒューズがハウジング内に挿入されるとそれぞれのヒューズに接続するようになっているライン側及び負荷側の端子であって、ヒューズのそれぞれに対応するそれぞれのライン側端子及び負荷側端子のうちの一方の間に、定置切換え接点が設けられている、ライン側及び負荷側の端子と；断路ハウジング内に挿入されるとそれぞれのヒューズの導電性素子を受容してそしてこれに係合するように構成されたヒューズ端子であって、各ヒューズ端子が第2の定置切換え接点を含む、ヒューズ端子と；閉位置に動かされるとヒューズのそれぞれを介した電気的接続を完結する第1及び第2の可動接点を備えた、それぞれのヒューズに対応するスライド・アクチュエータ・バーと；ヒューズを介した電気的接続を形成又は断絶するようにスライド・バーを位置決めして、ヒューズを同時に接続又は断絶する、回転可能に取り付けられたスイッチ・アクチュエータと、を含む。任意には、断路ハウジングは、第2の断路ハウジングと一組にまとまるように構成されてよい。
ヒューズ付き断路装置のさらに別の実施態様もここに説明する。この装置は、ハウジング内に取り外し可能に挿入することができる1つ以上のヒューズを収容する収容手段と；ヒューズを回路に接続する接続手段と；ヒューズを介した電気的接続を形成又は断絶するために接続手段を切換える、ハウジング手段内部に配置された切換え手段と；切換え手段を作動させ、そして収容手段からヒューズを取り外すことなしに切換え手段を開位置及び閉位置に選択的に位置決めする作動・位置決め手段と、を含む。任意には、この装置はさらに、過電圧事象及び不足電圧事象のうちの一方に応答して、接続位置又は断絶位置のうちの一方に切換え手段を開く手段を含んでよい。
【手続補正４】
【補正対象書類名】図面
【補正対象項目名】図９
【補正方法】変更
【補正の内容】
【図９】
2008512847.tif 000001
【手続補正５】
【補正対象書類名】図面
【補正対象項目名】図１１
【補正方法】変更
【補正の内容】
【図１１】
2008512847.tif 000002